(57)【特許請求の範囲】
【請求項１】
所定の物体の全体または要素から抽出されたデザインの構成要素となる「形状」、「模様」、「色彩」およびこれらの組みあわせに関する画像データを含む特徴データの利用に関する利用料を管理するデータ管理システムであって、
前記データ管理システムにおける前記特徴データの利用料の管理を行う管理装置と、
前記特徴データのデザインに係わる独占権の権利者が使用する第１の通信装置と、
前記管理装置において前記特徴データの利用料の前記管理を行う管理プログラムに関する特許の特許権者が使用する第２の通信装置と、
前記特徴データの利用者が使用する第３の通信装置と、
を有し、
前記第１の通信装置は、前記管理装置に前記特徴データを送信し、
前記管理装置は、前記第１の通信装置から受信した前記特徴データを検索可能な形式で記憶し、
前記第２の通信装置は、前記独占権の権利者、前記特許権者および前記利用者を管理し、前記特徴データを前記利用者に提供したことに対して当該利用者に行う処理および、前記利用者から前記独占権の権利者または前記特許権者に対価を支払う処理を行うためのデータまたはプログラムである管理データを前記管理装置に送信し、
前記管理装置は、前記第２の通信装置から受信した前記管理データを記憶し、
前記管理装置は、前記第３の通信装置からの要求に応じて、前記特徴データを検索して前記第３の通信装置に送信し、前記管理データに基づいて前記特徴データの利用を管理し、前記利用者による前記特徴データの利用について、前記管理データに基づいて、前記利用者に対価を要求し、前記独占権の権利者または前記特許権者に対価を支払う処理を行う
データ管理システム。
【請求項２】
前記特徴データは、画像データ、オーディオデータ、テキストデータ、または前記画像データ、前記オーディオデータまたは前記テキストデータの処理手順を示す処理手順データを含む
請求項１に記載のデータ管理システム。
【請求項３】
前記特徴データは、他の前記特徴データに対してのリンク関係を示すデータを含む
請求項１に記載のデータ管理システム。
【請求項４】
前記特徴データは、前記所定の物体の全体または要素の特徴を抽出または解析する手順、または、前記特徴データを加工または組み立てるための手順を示すデータを含む
請求項１に記載のデータ管理システム。
【請求項５】
前記管理データは、前記特徴データの複数の保有者からなるグループを形成し、前記グループに属する前記保有者の前記特徴データによって得られた利益を前記グループに属する前記保有者に配分するための処理を行うプログラムである
請求項１に記載のデータ管理システム。
【請求項６】
前記管理データに係わる特許権者がある場合に、前記管理データは、当該管理データの利用に対して前記特許権者に対価を支払うための処理を行う
請求項１に記載のデータ管理システム。
【請求項７】
前記管理データに係わる複数の特許権者がある場合に、前記管理データは、前記複数の特許権者からなるグループを形成し、前記グループに属する前記特許権者の前記特許に係わる管理データの利用に対する対価を前記グループに属する特許権者に配分するための処理を行うプログラムを含む
請求項６に記載のデータ管理システム。
【請求項８】
管理装置と、第１の通信装置と、第２の通信装置と、第３の通信装置と、を有し、所定の物体の全体または要素から抽出されたデザインの構成要素となる「形状」、「模様」、「色彩」およびこれらの組みあわせ等に関する画像データを含む特徴データの利用に関する利用料を管理するデータ管理システムのデータ管理方法であって、
前記特徴データのデザインに係わる独占権の権利者が使用する前記第１の通信装置が、前記管理装置に前記特徴データを送信する工程と、
前記データ管理システムにおける前記特徴データの利用料の管理を行う前記管理装置が、前記第１の通信装置から受信した前記特徴データを検索可能な形式で記憶する工程と、
前記管理装置において前記特徴データの利用料の前記管理を行う管理プログラムに関する特許の特許権者が使用する前記第２の通信装置が、前記独占権の権利者、前記特許権者および前記利用者を管理し、前記特徴データを前記利用者に提供したことに対して当該利用者に行う処理および、前記利用者から前記独占権の権利者または前記特許権者に対価を支払う処理を行うためのデータまたはプログラムである管理データを前記管理装置に送信する工程と、
前記管理装置が、前記第２の通信装置から受信した前記管理データを記憶する工程と、
前記管理装置が、前記特徴データの利用者が使用する前記第３の通信装置からの要求に応じて、前記特徴データを検索して前記第３の通信装置に送信し、前記管理データに基づいて前記特徴データの利用を管理し、前記利用者による前記特徴データの利用について、前記管理データに基づいて、前記利用者に対価を要求し、前記独占権の権利者または前記特許権者に対価を支払う処理を行う工程と、
を有するデータ管理方法。
【請求項９】
所定の物体の全体または要素から抽出されたデザインの構成要素となる「形状」、「模様」、「色彩」およびこれらの組みあわせ等に関する画像データを含む特徴データの利用に関する利用料を管理するデータ管理システムにおいて、管理処理を行うデータ管理装置であって、
前記特徴データのデザインに係わる独占権の権利者が使用する第１の通信装置から受信した特徴データを検索可能な形式で記憶し、
前記特徴データの利用料の前記管理を行う管理プログラムに関する特許の特許権者が使用する第２の通信装置から、前記独占権の権利者、前記特許権者および前記利用者を管理し、前記特徴データを前記利用者に提供したことに対して当該利用者に行う処理および、前記利用者から前記独占権の権利者または前記特許権者に対価を支払う処理を行うためのデータまたはプログラムである管理データを受信して記憶し、
前記特徴データの利用者が使用する第３の通信装置からの要求に応じて、前記特徴データを検索して前記第３の通信装置に送信し、前記管理データに基づいて前記特徴データの利用を管理し、前記利用者による前記特徴データの利用について、前記管理データに基づいて、前記利用者に対価を要求し、前記独占権の権利者または前記特許権者に対価を支払う処理を行う
データ管理装置。
【発明の詳細な説明】
【０００１】
【発明の属する技術分野】
本発明は、生活用品の全体または要素の特徴またはその処理手順を示す特徴データの提供を受けて、これをマルチメディアデータとして管理し、利用者に提供するデータ管理方法、データ管理装置およびそのシステムに関する。
【０００２】
【従来の技術】
例えば、着物の生地や陶芸品などの文化的な生活用品には、人間の長年の経験や知識に基づいた技能によって、その外観（デザイン）などが得られる物がある。
このような生活用品の外観などの得るための経験や知識は、従来では、人間が有しているものであり、他人が容易に習得できるものではない。
また、このような生活用品には、その外観が意匠権や著作権で保護されているものや、その製造方法が特許権で保護されているものもあり、それらの第三者による使用には制限がある。
【０００３】
【発明が解決しようとする課題】
ところで、近年、上述したような生活用品の外観などの得るための知識や経験を、第三者が容易に利用できるようにしたいという要請がある。
また、このような知識や経験を組み合わせて、新たなデザインを創作したいという要請もある。
また、生活用品の外観に係わる意匠権、著作権および特許権による使用の制約を効率的に克服して、これらの利用を促進したいという要請がある。
【０００４】
本発明は上述した従来技術の問題点に鑑みてなされ、生活用品の外観などの得るための知識や経験を、第三者が容易に利用できるデータ管理方法、データ管理装置およびそのシステムを提供することを目的とする。
また、本発明は、このような知識や経験を組み合わせて、新たなデザインを容易に創作することを可能にするデータ管理方法、データ管理装置およびそのシステムを提供することを目的とする。
また、本発明は、生活用品の外観に係わる意匠権、著作権および特許権による使用の制約を効率的に克服して、これらの利用を促進できるデータ管理方法、データ管理装置およびそのシステムを提供することを目的とする。
【０００５】
本発明のデータ管理システムは、所定の物体の全体または要素から抽出されたデザインの構成要素となる「形状」、「模様」、「色彩」およびこれらの組みあわせに関する画像データを含む特徴データの利用に関する利用料を管理するデータ管理システムであって、前記データ管理システムにおける前記特徴データの利用料の管理を行う管理装置と、前記特徴データのデザインに係わる独占権の権利者が使用する第１の通信装置と、前記管理装置において前記特徴データの利用料の前記管理を行う管理プログラムに関する特許の特許権者が使用する第２の通信装置と、前記特徴データの利用者が使用する第３の通信装置と、を有し、前記第１の通信装置は、前記管理装置に前記特徴データを送信し、前記管理装置は、前記第１の通信装置から受信した前記特徴データを検索可能な形式で記憶し、前記第２の通信装置は、前記独占権の権利者、前記特許権者および前記利用者を管理し、前記特徴データを前記利用者に提供したことに対して当該利用者に行う処理および、前記利用者から前記独占権の権利者または前記特許権者に対価を支払う処理を行うためのデータまたはプログラムである管理データを前記管理装置に送信し、前記管理装置は、前記第２の通信装置から受信した前記管理データを記憶し、前記管理装置は、前記第３の通信装置からの要求に応じて、前記特徴データを検索して前記第３の通信装置に送信し、前記管理データに基づいて前記特徴データの利用を管理し、前記利用者による前記特徴データの利用について、前記管理データに基づいて、前記利用者に対価を要求し、前記独占権の権利者または前記特許権者に対価を支払う処理を行う。
【０００６】
本発明のデータ管理方法は、管理装置と、第１の通信装置と、第２の通信装置と、第３の通信装置と、を有し、所定の物体の全体または要素から抽出されたデザインの構成要素となる「形状」、「模様」、「色彩」およびこれらの組みあわせ等に関する画像データを含む特徴データの利用に関する利用料を管理するデータ管理システムのデータ管理方法であって、前記特徴データのデザインに係わる独占権の権利者が使用する前記第１の通信装置が、前記管理装置に前記特徴データを送信する工程と、前記データ管理システムにおける前記特徴データの利用料の管理を行う前記管理装置が、前記第１の通信装置から受信した前記特徴データを検索可能な形式で記憶する工程と、前記管理装置において前記特徴データの利用料の前記管理を行う管理プログラムに関する特許の特許権者が使用する前記第２の通信装置が、前記独占権の権利者、前記特許権者および前記利用者を管理し、前記特徴データを前記利用者に提供したことに対して当該利用者に行う処理および、前記利用者から前記独占権の権利者または前記特許権者に対価を支払う処理を行うためのデータまたはプログラムである管理データを前記管理装置に送信する工程と、前記管理装置が、前記第２の通信装置から受信した前記管理データを記憶する工程と、前記管理装置が、前記特徴データの利用者が使用する前記第３の通信装置からの要求に応じて、前記特徴データを検索して前記第３の通信装置に送信し、前記管理データに基づいて前記特徴データの利用を管理し、前記利用者による前記特徴データの利用について、前記管理データに基づいて、前記利用者に対価を要求し、前記独占権の権利者または前記特許権者に対価を支払う処理を行う工程と、を有する。
【０００７】
本発明のデータ管理装置は、所定の物体の全体または要素から抽出されたデザインの構成要素となる「形状」、「模様」、「色彩」およびこれらの組みあわせ等に関する画像データを含む特徴データの利用に関する利用料を管理するデータ管理システムにおいて、管理処理を行うデータ管理装置であって、前記特徴データのデザインに係わる独占権の権利者が使用する第１の通信装置から受信した特徴データを検索可能な形式で記憶し、前記特徴データの利用料の前記管理を行う管理プログラムに関する特許の特許権者が使用する第２の通信装置から、前記独占権の権利者、前記特許権者および前記利用者を管理し、前記特徴データを前記利用者に提供したことに対して当該利用者に行う処理および、前記利用者から前記独占権の権利者または前記特許権者に対価を支払う処理を行うためのデータまたはプログラムである管理データを受信して記憶し、前記特徴データの利用者が使用する第３の通信装置からの要求に応じて、前記特徴データを検索して前記第３の通信装置に送信し、前記管理データに基づいて前記特徴データの利用を管理し、前記利用者による前記特徴データの利用について、前記管理データに基づいて、前記利用者に対価を要求し、前記独占権の権利者または前記特許権者に対価を支払う処理を行う。
【００１６】
【発明の実施の形態】
以下、本発明の実施形態に係わる生活文化遺伝子管理方法およびそのシステムについて説明する。
第１実施形態
図１は、本実施形態における、生活文化遺伝子データ所有者３と、生活文化遺伝子関連特許権所有者５と、生活文化遺伝子データ利用者７と、生活文化遺伝子管理事業者９との関係を説明するための図である。
図２は、本実施形態の生活文化遺伝子管理方法が採用された生活文化遺伝子管理システム１の全体構成図である。
図３は、本実施形態の生活文化遺伝子管理方法の手順を説明するための図である。
図２に示すように、生活文化遺伝子管理システム１は、ネットワーク２を介して、生活文化遺伝子データ所有者３が使用する通信装置４（本発明の第１の通信装置）と、生活文化遺伝子関連特許権所有者５が使用する通信装置６（本発明の第２の通信装置）と、生活文化遺伝子データ利用者７が使用する通信装置８（本発明の第３の通信装置）と、生活文化遺伝子管理事業者９が使用する生活文化遺伝子管理装置１０（本発明のデータ管理装置）とが通信網２を介して接続されている。
【００１７】
以下、図３に示す各ステップを図１および図２を参照しながら説明する。
ステップＳＴ１００：
生活文化遺伝子データ所有者３と生活文化遺伝子管理事業者９との間で、生活文化遺伝子データ所有者３が所有する生活文化遺伝子データについての意匠権および著作権（本発明のデザインに係わる独占権）の取り扱いの契約が結ばれる。
例えば、当該意匠権および著作権に基づいた実施権の設定、契約、並びに権利行使についての権限を生活文化遺伝子データ所有者３が生活文化遺伝子管理事業者９に与える旨の契約が結ばれる。
【００１８】
ステップＳＴ１０１：
生活文化遺伝子データ所有者３の生活文化遺伝子データが、生活文化遺伝子データ所有者３から生活文化遺伝子管理事業者９に提供される。
生活文化遺伝子データは、例えば、生活文化遺伝子データ所有者３の通信装置４から通信網２を介して生活文化遺伝子管理装置１０で受信される。
【００１９】
ステップＳＴ１０２：
生活文化遺伝子管理事業者９は、ステップＳＴ１０１で生活文化遺伝子データ所有者３から提供を受けた生活文化遺伝子データを保管する。
例えば、生活文化遺伝子データは、生活文化遺伝子管理装置１０に検索可能、組み立て可能、組み合わせ可能、または組み替え可能な形式で記憶される。
また、当該生活文化遺伝子データについての意匠権および著作権を管理するためのデータも生活文化遺伝子管理装置１０に記憶される。すなわち、当該意匠権および著作権が生活文化遺伝子管理装置１０にプールされる。
【００２０】
ステップＳＴ１０３：
生活文化遺伝子関連特許権所有者５と生活文化遺伝子管理事業者９との間で、生活文化遺伝子関連特許権所有者５が所有する生活文化遺伝子データ、当該生活文化遺伝子データの操作プログラム、または当該生活文化遺伝子データの管理プログラムなどについての特許権の取り扱いの契約が結ばれる。
例えば、当該特許権に基づいた実施権の設定、契約、並びに権利行使についての権限を生活文化遺伝子関連特許権所有者５から生活文化遺伝子管理事業者９に与える旨の契約が結ばれる。
【００２１】
ステップＳＴ１０４：
生活文化遺伝子関連特許権所有者５の特許権に係わる生活文化遺伝子データまたはプログラムが、生活文化遺伝子関連特許権所有者５から生活文化遺伝子管理事業者９に提供される。
生活文化遺伝子データまたはプログラムは、例えば、生活文化遺伝子関連特許権所有者５の通信装置６から通信網２を介して生活文化遺伝子管理装置１０で受信される。
【００２２】
ステップＳＴ１０５：
生活文化遺伝子管理事業者９は、ステップＳＴ１０３で生活文化遺伝子関連特許権所有者５から提供を受けた生活文化遺伝子データまたはプログラムを保管する。
例えば、当該生活文化遺伝子データまたはプログラムは、生活文化遺伝子管理装置１０に検索可能、組み立て可能、組み合わせ可能、または組み替え可能な形式で記憶される。
また、当該生活文化遺伝子データまたはプログラムについての特許権を管理するためのデータも生活文化遺伝子管理装置１０に記憶される。すなわち、当該特許権が生活文化遺伝子管理装置１０にプールされる。
【００２３】
ステップＳＴ１０６：
生活文化遺伝子データ利用者７からの要求に応じて、生活文化遺伝子管理事業者９によって、生活文化遺伝子データを検索し、当該検索された生活文化遺伝子データが生活文化遺伝子データ利用者７に提供される。
例えば、生活文化遺伝子管理装置１０は、生活文化遺伝子データ利用者７の通信装置８から通信網２を介して受信した要求に応じて、管理している生活文化遺伝子データを通信装置８に送信する。生活文化遺伝子データ利用者７は、当該受信した生活文化遺伝子データを種々の形態で利用する。
【００２４】
ステップＳＴ１０７：
生活文化遺伝子管理事業者９は、ステップＳＴ１０６の生活文化遺伝子データの利用について、生活文化遺伝子データ利用者７に対価を要求する。
【００２５】
ステップＳＴ１０８：
生活文化遺伝子管理事業者９は、その運用に当たって、生活文化遺伝子関連特許権所有者５の特許権を使用する場合には、所定の使用料（ロイヤリティ）を生活文化遺伝子関連特許権所有者５に支払う。また、生活文化遺伝子管理装置１０は、生活文化遺伝子データ利用者７による生活文化遺伝子データに係わる意匠権、特許権および著作権に係わる内容の利用について、生活文化遺伝子データ利用者７から生活文化遺伝子データ所有者３への利用料（ロイヤリティ）の支払いを管理する。
また、生活文化遺伝子管理装置１０は、所定の運用管理データおよび運用管理プログラムに基づいて上述した管理を行う。
生活文化遺伝子管理システム１では、生活文化遺伝子データ所有者３によって優れた意匠（デザイン）などの生活文化遺伝子データが生活文化遺伝子管理装置１０に登録され、当該登録された生活文化遺伝子データを生活文化遺伝子データ利用者７が利用することを促進する。これにより、新たな生活文化遺伝子の創作、並びに生活文化遺伝子による産業の発達が実現される。
【００２６】
以下、生活文化遺伝子管理システム１の各構成要素の構成、並びにその動作を説明する。
〔通信装置４〕
通信装置４は、自らが創作等した生活用品の全体または要素の特徴を示す生活文化遺伝子データを生活文化遺伝子管理事業者９に提供する生活文化遺伝子データ所有者３によって使用される。
【００２７】
図４は、通信装置４の機能ブロック図である。
図４に示すように、通信装置４は、入出力インターフェース部２０、操作部２１、表示部２２、記憶部２３および処理部２４を有する。
【００２８】
入出力インターフェース部２０は、通信網２を介して、生活文化遺伝子管理装置１０との間で要求およびデータの送受信を行う。
操作部２１は、キーボードやマウスなどであり、生活文化遺伝子データ所有者３による操作に応じた操作信号を処理部２４に出力する。
表示部２２は、処理部２４からの表示信号に応じた画面表示を行う。
記憶部２３は、処理部２４が行う処理を記述したプログラム、並びに当該処理において使用されるデータを記憶する。
処理部２４は、操作信号に応じた所定の処理を行う。
【００２９】
以下、生活文化遺伝子データ所有者３による通信装置４を用いた生活文化遺伝子管理装置１０に対しての処理を説明する。
図５は、当該処理を説明するためのフローチャートである。
ステップＳＴ１：
生活文化遺伝子データ所有者３は図４に示す通信装置４の操作部２１を操作して、自らの通信アドレスや、プロファイルなどの情報を入力して、登録要求を生成する。
当該登録要求は、入出力インターフェース部２０から、通信網２を介して生活文化遺伝子管理装置１０に送信される。
【００３０】
ステップＳＴ２：
生活文化遺伝子管理装置１０は、ステップＳＴ１で受信した登録要求に応じて、生活文化遺伝子データ所有者３のプロファイルなどに基づいて、生活文化遺伝子データ所有者３の登録を認めるか否かを判断し、認めると判断した場合には、、承諾書データを通信装置４に送信する。
【００３１】
ステップＳＴ３：
ステップＳＴ２で生活文化遺伝子管理装置１０から送信された承諾書データが図４に示す入出力インターフェース部２０で受信され、表示部２２に表示される。
生活文化遺伝子データ所有者３は、表示部２２に表示された承諾書データの内容を見て、その内容に同意するか否かを判断し、同意すると判断した場合は、登録しようとする生活文化遺伝子データが属するカテゴリを操作部２１を用いて選択し、その結果をに入出力インターフェース部２０から通信網２を介して生活文化遺伝子管理装置１０に送信する。
【００３２】
ステップＳＴ４：
生活文化遺伝子管理装置１０は、登録用のプログラム（ウイザード）を通信装置４にダウンロードし、ステップＳＴ３で生活文化遺伝子データ所有者３が選択したカテゴリについて、さらに細かい属性を生活文化遺伝子データ所有者３に選択させる。
【００３３】
ステップＳＴ５：
ステップＳＴ４でカテゴリが決定すると、生活文化遺伝子データ所有者３の登録が完了し、今後の手続きについての通知が、生活文化遺伝子管理装置１０から通信装置４に送信される。
【００３４】
ステップＳＴ６：
生活文化遺伝子データ所有者３は、例えば、自らのが登録しようとする生活文化遺伝子データを、図４に示す入出力インターフェース部２０から通信網２を介して生活文化遺伝子管理装置１０に送信する。
生活文化遺伝子管理装置１０は、ステップＳＴ４で決定したカテゴリに従って、受信した生活文化遺伝子データを検索可能な形式で記憶する。
【００３５】
〔通信装置６〕
通信装置６は、生活文化遺伝子管理装置１０に係わる処理の特許権の所有者である生活文化遺伝子関連特許権所有者５によって使用される。
ここで、生活文化遺伝子管理装置１０に係わる処理の特許権は、例えば、生活文化遺伝子管理装置１０の運用管理プログラムに関する特許権などである。
図６は、通信装置６の機能ブロック図である。
図６に示すように、通信装置６は、入出力インターフェース部３０、操作部３１、表示部３２、記憶部３３および処理部３４を有する。
【００３６】
入出力インターフェース部３０は、通信網２を介して、生活文化遺伝子管理装置１０との間で要求およびデータの送受信を行う。
操作部３１は、キーボードやマウスなどであり、生活文化遺伝子関連特許権所有者５による操作に応じた操作信号を処理部３４に出力する。
表示部３２は、処理部３４からの表示信号に応じた画面表示を行う。
記憶部３３は、処理部３４が行う処理を記述したプログラム、並びに当該処理において使用されるデータを記憶する。
処理部３４は、操作信号に応じた所定の処理を行う。
【００３７】
〔通信装置８〕
通信装置８は、生活文化遺伝子管理装置１０に登録された生活文化遺伝子データを利用する生活文化遺伝子データ利用者７によって使用される。
生活文化遺伝子データ利用者７は、生活文化遺伝子管理事業者９からライセンスを受け、生活文化遺伝子管理装置１０に記憶された生活文化遺伝子データや生活文化遺伝子処理プログラムなどを利用し、新しいデザインや、当該デザインをメデイアへの応用することによって、目的映像表現物を生成し、新しいビジネス領域を拓く。生活文化遺伝子データ利用者７は、当該ビジネスから得られた収益から、ライセンス料を生活文化遺伝子管理事業者９に支払う。
図７は、通信装置８の機能ブロック図である。
図７に示すように、通信装置８は、入出力インターフェース部４０、操作部４１、表示部４２、記憶部４３および処理部４４を有する。
【００３８】
入出力インターフェース部４０は、通信網２を介して、生活文化遺伝子管理装置１０との間で要求およびデータの送受信を行う。
操作部４１は、キーボードやマウスなどであり、生活文化遺伝子データ利用者７による操作に応じた操作信号を処理部４４に出力する。
表示部４２は、処理部４４からの表示信号に応じた画面表示を行う。
記憶部４３は、処理部４４が行う処理を記述したプログラム、並びに当該処理において使用されるデータを記憶する。
処理部４４は、操作信号に応じた所定の処理を行う。
【００３９】
〔生活文化遺伝子管理装置１０〕
生活文化遺伝子管理装置１０は、生活文化遺伝子データを管理する生活文化遺伝子管理事業者９によって使用される。
図８は、生活文化遺伝子管理装置１０の機能ブロック図である。
図８に示すように、生活文化遺伝子管理装置１０は、入出力インターフェース部５０、操作部５１、表示部５２、記憶部５３、管理部５４、意匠要素抽出部５５および画像処理部５６を有する。
ここで、入出力インターフェース部５０が本発明の受信手段および送信手段に対応し、記憶部５３が本発明の記憶手段に対応し、管理部５４が本発明の管理手段に対応している。
【００４０】
入出力インターフェース部５０は、通信網２を介して、通信装置４，６，８との間で要求およびデータの送受信を行う。
操作部５１は、キーボードやマウスなどであり、生活文化遺伝子管理事業者９による操作に応じた操作信号を処理部５４に出力する。
表示部５２は、処理部５４からの表示信号に応じた画面表示を行う。
【００４１】
記憶部５３は、処理部５４が行う処理を記述したプログラム、並びに当該処理において使用されるデータを記憶する。
図９は、記憶部５３に記憶されるデータおよびプログラムを説明するための図である。
図９に示すように、記憶部５３には、例えば、運用管理データ６０、運用管理プログラム６１、意匠要素抽出プログラム６２、生活文化遺伝子データ６３および生活文化遺伝子処理プログラム６４が記憶されている。
ここで、運用管理データ６０および運用管理プログラム６１が本発明の管理データに対応している。
【００４２】
運用管理データ６０は、生活文化遺伝子管理装置１０による生活文化遺伝子データ所有者３、生活文化遺伝子関連特許権所有者５および生活文化遺伝子データ利用者７の活動の管理などの生活文化遺伝子管理装置１０が行う管理処理に係わるデータである。
運用管理データ６０としては、例えば、生活文化遺伝子データ管理データ１００、生活文化遺伝子データ所有者管理データ１０１、生活文化遺伝子関連特許管理データ１０２、生活文化遺伝子関連特許所有者管理データ１０３、生活文化遺伝子データ利用者管理データ１０４がある。
【００４３】
生活文化遺伝子データ管理データ１００は、生活文化遺伝子データ６３の全体または各構成要素についての権利所有者、権利期間、使用条件などを示すデータである。
生活文化遺伝子データ所有者管理データ１０１は、生活文化遺伝子の権利所有者が生活文化遺伝子管理システム１内で行ったトランザクションの履歴を示すデータである。
【００４４】
生活文化遺伝子関連特許管理データ１０２は、運用管理データ６０、運用管理プログラム６１、意匠要素抽出プログラム６２、生活文化遺伝子データ６３および生活文化遺伝子処理プログラム６４についての特許権の権利所有者、権利期間、使用条件などを示すデータである。
生活文化遺伝子関連特許所有者管理データ１０３は、特許権者の属性（プロファイルや資格）や、当該特許権の所有者が所有者生活文化遺伝子管理システム１内で行ったトランザクションの履歴を示すデータである。
生活文化遺伝子データ利用者管理データ１０４は、生活文化遺伝子データ利用者７の属性（プロファイルや資格）や、生活文化遺伝子データ利用者７がが所有者生活文化遺伝子管理システム１内で行ったトランザクションの履歴を示すデータである。
また、運用管理データ６０は、運用管理プログラム６１、意匠要素抽出プログラム６２、生活文化遺伝子データ６３おび生活文化遺伝子処理プログラム６４のソースデータまたはソースコード、アクセス条件、プロパテイーなどの情報や、これらのデータおよびプログラムのアップデート履歴、バージョン、利用料、利用履歴などのデータを有している。
【００４５】
運用管理プログラム６１は、上述した運用管理データ６０の生成および処理を行うプログラムである。
【００４６】
意匠要素抽出プログラム６２は、例えば、生活文化遺伝子データ所有者３が通信装置４から通信網２を介して生活文化遺伝子管理装置１０に提供した意匠の画像データ、あるいはオフラインで生活文化遺伝子管理事業者９に提供した意匠の画像データから、所定の単位で、意匠要素を生活文化遺伝子データとして抽出する。
【００４７】
生活文化遺伝子データ６３は、生活用品の現物、その写真や、その解析結果などから抽出された意匠の構成要素となる「形状」、「模様」、「色彩」およびそれらの組み合わせなどに関する画像データである。
また、生活文化遺伝子データ６３とは、画像データの他に、画像データに関する情報を記述したテキストデータや、画像データと関係するリズム、メロデイー、和音、各種の楽器音、テンポなどのオーディオデータなどがある。
また、生活文化遺伝子データ６３としては、意匠の構成要素を組み合わせて新たな意匠の画像データを生成する処理の記述を示すデータであってもよい。
また、生活文化遺伝子データ６３は、デザインオブジェクトやこれらを処理するメソッドが、コンピュータソフトで、相互運用でき、相互接続できるように、カテゴリーを分け、そのタグ付けを定義し、計算処理が可能になる範囲を明確化し、計算方法に対応させるため、ＸＭＬの記述を用いて、オブジェクト化し、構造化したライブラリーとして構築される。
【００４８】
また、生活文化遺伝子データ６３は、他の生活文化遺伝子データ６３および生活文化遺伝子処理プログラム６４に対してのリンク関係を示すデータを含んでいる。
【００４９】
生活文化遺伝子処理プログラム６４は、生活文化遺伝子データ６３を用いて処理を行って新たな画像データなどを生成する処理を行うためのプログラムである。
生活文化遺伝子処理プログラム６４は、例えば、生活文化遺伝子データ６３を用いて、実際に織物を製造する工程をシミュレーションして着物の生地の画像データを生成するプログラムである。
例えば、生活文化遺伝子処理プログラム６４は、生活用品の構成要素となる素材の属性を示す素材データオブジェクトデータを生成し、当該素材データオブジェクトデータを用いて、前記生活用品の属性を示す物体データオブジェクトデータを生成し、前記生活用品と関係付けられる基体の属性を示す基体データオブジェクトデータを生成し、前記物体データオブジェクトデータおよび前記基体データオブジェクトデータを用いて、前記生活用品と前記基体とを関係付けたシーンの画像データを生成する。
【００５０】
また、生活文化遺伝子処理プログラム６４は、環境条件などの情報を用いて、画像データを生成する。
また、生活文化遺伝子処理プログラム６４は、オーサリングプログラム、シミュレーションプログラムであってもよい。この場合に、目標成果物の表現に向かって、出来たものを取り込み、シミュレーションして、ブレッドボード・ウインドウ上に、仕上げてもよい。
また、生活文化遺伝子処理プログラム６４は、新たに生成した画像データに対して、不正使用を抑制するために、電子透かし情報を入れてもよい。
【００５１】
管理部５４は、図９に示す運用管理プログラム６１に基づいて、運用管理データ６０を用いて、生活文化遺伝子管理システム１の運用を管理する。
具体的には、管理部５４は、生活文化遺伝子データの意匠権または著作権の取り扱いについて、生活文化遺伝子データ所有者３と生活文化遺伝子管理事業者９との間で結ばれた契約と、生活文化遺伝子データまたは管理データの特許権の取り扱いについて、生活文化遺伝子関連特許権所有者５と生活文化遺伝子管理事業者９との間で結ばれた契約とに基づいて、生活文化遺伝子データ所有者３および生活文化遺伝子関連特許権所有者５に対価を支払う処理と、生活文化遺伝子データの利用について生活文化遺伝子データ利用者７に対価を要求する処理とを行う。
【００５２】
意匠要素抽出部５５は、図９に示す意匠要素抽出プログラム６２を実行して、例えば、生活文化遺伝子データ所有者３が通信装置４から通信網２を介して生活文化遺伝子管理装置１０に提供した意匠データ、あるいはオフラインで生活文化遺伝子管理事業者９に提供した意匠データから、所定の単位で、意匠要素を抽出し、これを生活文化遺伝子データ６３として記憶部５３に検索可能な形式で記憶させる。
【００５３】
画像処理部５６は、図８に示す生活文化遺伝子処理プログラム６４を実行して、生活文化遺伝子データ６３を用いて新たな画像データなどを生成し、それを生活文化遺伝子データ６３として記憶部５７に記憶させる。
【００５４】
以下、生活文化遺伝子管理システム１の動作例を説明する。
図１０は、当該動作例を説明するためのフローチャートである。
ステップＳＴ１１：
生活文化遺伝子データ所有者３による通信装置４の操作に応じて、生活文化遺伝子データ所有者３が所有する生活文化遺伝子データが通信網２を介して生活文化遺伝子管理装置１０に送信される。
【００５５】
ステップＳＴ１２：
生活文化遺伝子管理装置１０は、ステップＳＴ１１で通信装置４から受信した生活文化遺伝子データを図８に示す記憶部５３に検索可能な形式で記憶する。
【００５６】
ステップＳＴ１３：
生活文化遺伝子データ利用者７は、通信装置８を操作して、生活文化遺伝子管理装置１０にアクセスを行い、自らの利用したい生活文化遺伝子データを検索し、検索して得た生活文化遺伝子データの利用を生活文化遺伝子管理装置１０に要求する。
【００５７】
ステップＳＴ１４：
生活文化遺伝子管理装置１０は、生活文化遺伝子データ利用者７による当該生活文化遺伝子データの利用を許諾する場合には、当該生活文化遺伝子データを通信網２を介して通信装置８に送信する。
【００５８】
ステップＳＴ１５：
生活文化遺伝子管理装置１０は、ステップＳＴ１４における生活文化遺伝子データ利用者７による生活文化遺伝子データの利用に対して運用管理データ６０および運用管理プログラム６１を用いて利用料（ライセンス料）を決定し、生活文化遺伝子データ利用者７に対しての課金処理を行う。
【００５９】
ステップＳＴ１６：
生活文化遺伝子管理装置１０は、ステップＳＴ１５において生活文化遺伝子データ利用者７から受け取った利用料を生活文化遺伝子データ所有者３に与えるための処理を行う。
【００６０】
以下、生活文化遺伝子管理システム１におけるロイヤリティの処理を説明する。
生活文化遺伝子データ所有者３の生活文化遺伝子に係わる意匠権および著作権と、生活文化遺伝子関連特許権所有者５の特許権の構成比率は、５０％ずつとする。
また、複数の生活文化遺伝子関連特許権所有者５が、生活文化遺伝子管理事業者９を中心に、グループ（シンジケーション）を組んだ場合に、そのロイヤリティの分配基準は、提供した特許権の数に比例して、受け取るものとする。
また、複数の生活文化遺伝子データ所有者３が、生活文化遺伝子管理事業者９を中心に、グループ（シンジケーション）を組んだ場合に、その利用料やロイヤリティの分配基準は、提供した生活文化遺伝子の数に比例して、受け取るものとする。
【００６１】
また、各種のロイヤリティは、生活文化遺伝子データの最終利用者から、ロイヤリティを徴収した生活文化遺伝子データ利用者７（第１次徴収者）が５０％を取り、元の権利所有者へ、残りを渡して行く。
例えば、最終利用者から、特許権と著作権の使用料として、＄１００を得た生活文化遺伝子データ利用者７は、＄５０を取り、残り＄５０を生活文化遺伝子管理事業者９に与える。生活文化遺伝子管理事業者９は、＄５０のうち、自分が＄２５をとり、残りを配分する。
【００６２】
以上説明したように、生活文化遺伝子管理システム１によれば、生活文化遺伝子データ所有者３によって優れた意匠（デザイン）などの生活文化遺伝子データが生活文化遺伝子管理装置１０に登録され、当該登録された生活文化遺伝子データを生活文化遺伝子データ利用者７が利用することを促進する。これにより、新たな生活文化遺伝子の創作、並びに生活文化遺伝子による産業の発達が実現される。
【００６３】
なお、上述した生活文化遺伝子管理システム１において、生活文化遺伝子管理事業者９が自ら、生活文化遺伝子データ所有者３、生活文化遺伝子関連特許権所有者５および生活文化遺伝子データ利用者７となってもよい。
また、特定人が、生活文化遺伝子データ所有者３、生活文化遺伝子関連特許権所有者５および生活文化遺伝子データ利用者７の２つ以上の者になってもよい。
【００６４】
第２実施形態
図１１は、本実施形態の生活文化遺伝子管理システム２０１の全体構成図である。
図１１において、図２と同じ符号を付した構成要素は基本的に前述した第１実施形態で説明したものと同じである。
図１１に示すように、生活文化遺伝子管理システム２０１は、ネットワーク２を介して、生活文化遺伝子データ所有者３1 ，３2 ，３3 が使用する通信装置４1 ，４2 ，４3 と、生活文化遺伝子関連特許権所有者５が使用する通信装置６と、生活文化遺伝子データ利用者７が使用する通信装置８と、生活文化遺伝子管理事業者９が使用する生活文化遺伝子管理装置１０とが通信網２を介して接続されている。
【００６５】
生活文化遺伝子管理システム２０１では、生活文化遺伝子データ所有者３1 ，３2 ，３3 がグループ２１０を形成し、生活文化遺伝子データ所有者３1 ，３2，３3 が生活文化遺伝子管理装置１０に生活文化遺伝子データ６３を提供したことに対しての損失および利益を共有（配分）する。
【００６６】
例えば、生活文化遺伝子データ所有者３1 ，３2 ，３3 が生活文化遺伝子管理装置１０に提供した生活文化遺伝子データ６３が、生活文化遺伝子データ利用者７によって利用され、その利用料（ロイヤリティを含む）が徴収された場合に、その利用料を生活文化遺伝子データ所有者３1 ，３2 ，３3 に予め決められた割合（例えば等分）で分配される。このとき、例えば、分配された利用料の一部は、将来のリスクを軽減するために、グループ２１０の資金として積み立てられる。
【００６７】
また、生活文化遺伝子データ所有者３1 ，３2 ，３3 が生活文化遺伝子管理装置１０に提供した生活文化遺伝子データ６３が生活文化遺伝子管理事業者９によって管理されることによって、生活文化遺伝子管理事業者９に支払うべき管理料の支払いも、生活文化遺伝子データ所有者３1 ，３2 ，３3 に予め決められた割合（例えば等分）で分配される。
このようにすることで、生活文化遺伝子データ所有者３1 ，３2 ，３3 は、生活文化遺伝子管理システム２０１を使って安定して利益を受けることが可能になり、生活文化遺伝子データ所有者による生活文化遺伝子管理システム２０１の利用が促進される。
【００６８】
なお、上述したような生活文化遺伝子データ所有者３1 ，３2 ，３3 による損失および利益を共有は、生活文化遺伝子管理装置１０によって管理される。
また、生活文化遺伝子データ所有者３1 ，３2 ，３3 がグループ２１０に入るに当たって、入会金を納入し、会の規定に従って、自分のプロファイルを生活文化遺伝子管理装置１０の管理に基づいて、グループ２１０内の他の生活文化遺伝子データ所有者に提供するようにしてもよい。
【００６９】
第３実施形態
図１２は、本実施形態の生活文化遺伝子管理システム２０１の全体構成図である。
図１２において、図２と同じ符号を付した構成要素は基本的に前述した第１実施形態で説明したものと同じである。
図１２に示すように、生活文化遺伝子管理システム３０１は、ネットワーク２を介して、生活文化遺伝子データ所有者３が使用する通信装置４と、生活文化遺伝子関連特許権所有者５1 ，５2 ．５3 が使用する通信装置６1 ，６2 ，６3 と、生活文化遺伝子データ利用者７が使用する通信装置８と、生活文化遺伝子管理事業者９が使用する生活文化遺伝子管理装置１０とが通信網２を介して接続されている。
【００７０】
生活文化遺伝子管理システム３０１では、生活文化遺伝子関連特許権所有者５1 ，５2 ．５3 がグループ３１０を形成し、生活文化遺伝子関連特許権所有者５1 ，５2 ．５3 が生活文化遺伝子管理装置１０に特許に係わる内容を提供したことに対しての損失および利益を共有（配分）する。
【００７１】
例えば、生活文化遺伝子関連特許権所有者５1 ，５2 ．５3 が生活文化遺伝子管理装置１０に提供した特許権に係わる内容が、生活文化遺伝子データ利用者７によって利用され、その利用料（ロイヤリティを含む）が徴収された場合に、その利用料を生活文化遺伝子関連特許権所有者５1 ，５2 ．５3 に予め決められた割合（例えば等分）で分配される。このとき、例えば、分配された利用料の一部は、将来のリスクを軽減するために、グループ３１０の資金として積み立てられる。
【００７２】
また、生活文化遺伝子関連特許権所有者５1 ，５2 ．５3 が生活文化遺伝子管理装置１０に提供した特許に係わる内容が生活文化遺伝子管理事業者９によって管理されることによって、生活文化遺伝子管理事業者９に支払うべき管理料の支払いも、生活文化遺伝子関連特許権所有者５1 ，５2 ．５3 に予め決められた割合（例えば等分）で分配される。
このようにすることで、生活文化遺伝子関連特許権所有者５1 ，５2 ．５3 は、生活文化遺伝子管理システム２０１を使って安定して利益を受けることが可能になり、生活文化遺伝子関連特許権所有者による生活文化遺伝子管理システム２０１の利用が促進される。
【００７３】
なお、上述したような生活文化遺伝子関連特許権所有者５1 ，５2 ．５3 による損失および利益を共有は、生活文化遺伝子管理装置１０によって管理される。
また、生活文化遺伝子関連特許権所有者５1 ，５2 ．５3 がグループ３１０に入るに当たって、入会金を納入し、会の規定に従って、自分のプロファイルを生活文化遺伝子管理装置１０の管理に基づいて、グループ３１０内の他の生活文化遺伝子関連特許権所有者に提供するようにしてもよい。
【００７４】
生活文化遺伝子管理システム３０１によれば、生活文化遺伝子関連特許権所有者５1 ，５2 ．５3 が提供した複数の特許権を組み合わせてロイヤリティを請求したり、権利行使を行うことが可能になり、特許権の有効活用が図れる。
【００７５】
第４実施形態
図１３は、本実施形態における、生活文化遺伝子データ所有者３と、生活文化遺伝子関連特許権所有者５と、生活文化遺伝子利用者７1 と、生活文化遺伝子最終利用者７2 と、生活文化遺伝子管理事業者９との関係を説明するための図である。
図１４は、本実施形態の生活文化遺伝子管理方法における生活文化遺伝子利用者７1 と生活文化遺伝子最終利用者７2 とに係わる手続きを説明するための図である。
図１５は、本実施形態の生活文化遺伝子管理システム４０１の全体構成図である。
図１５において、図２と同じ符号を付した構成要素は基本的に前述した第１実施形態で説明したものと同じである。
【００７６】
図１４に示すように、本実施形態の生活文化遺伝子管理方法によっても、生活文化遺伝子データ所有者３、生活文化遺伝子関連特許権所有者５および生活文化遺伝子利用者７1 と、生活文化遺伝子管理事業者９との間で契約並びに対価の支払いが行われる。
【００７７】
また、図１４に示すように、生活文化遺伝子利用者７1 と生活文化遺伝子管理事業者９との間で契約が行われ、例えば、生活文化遺伝子管理事業者９が生活文化遺伝子利用者７1 に対して、生活文化遺伝子管理事業者９がプールする生活文化遺伝子データについての実施権の設定、契約、並びに権利行使についての独占的あるいは非独占的な権限を与える旨の契約が結ばれる（ステップＳＴ１１０）。
【００７８】
次に、ステップＳＴ１１０で結んだ契約に基づいて、生活文化遺伝子利用者７1 が生活文化遺伝子最終利用者７2 に、生活文化遺伝子管理事業者９がプールする生活文化遺伝子データの利用を許諾する（ステップＳＴ１１１）。
【００７９】
次に、生活文化遺伝子最終利用者７2 は、ステップＳＴ１１１で得た許諾に基づいて、許諾を得た生活文化遺伝子データを利用する（ステップＳＴ１１２）。
【００８０】
図１５に示すように、生活文化遺伝子管理システム４０１は、ネットワーク２を介して、生活文化遺伝子データ所有者３が使用する通信装置４と、生活文化遺伝子関連特許権所有者５が使用する通信装置６と、生活文化遺伝子データ利用事業者７1 ，生活文化遺伝子データ最終利用者７2 が使用する通信装置８1 ，８2と、生活文化遺伝子管理事業者９が使用する生活文化遺伝子管理装置１０とが通信網２を介して接続されている。
【００８１】
ここで、生活文化遺伝子データ最終利用者７2 は、生活文化遺伝子データ利用事業者７1 の管理に基づいて、生活文化遺伝子管理装置１０の利用を許可される利用者（例えば、最終利用者）である。
生活文化遺伝子データ利用事業者７1 は、例えば、通信装置８1 を使って生活文化遺伝子データ最終利用者７2 に関する情報を生活文化遺伝子管理装置１０に提供する。
生活文化遺伝子データ利用事業者７1 は、例えば、通信網２を介して通信装置８1 が受けた通信装置８2 からの要求に応じて、生活文化遺伝子管理装置１０に図９に示す生活文化遺伝子データ６３または生活文化遺伝子処理プログラム６４を要求する。そして、通信装置８1 は、生活文化遺伝子管理装置１０から、要求に応じた生活文化遺伝子データ６３または生活文化遺伝子処理プログラム６４を受け、これを通信装置８2 に送信する。
【００８２】
また、生活文化遺伝子データ利用事業者７1 は、生活文化遺伝子データ最終利用者７2 に提供した生活文化遺伝子データ６３または生活文化遺伝子処理プログラム６４を用いて生活文化遺伝子データ最終利用者７2 が新たな生活文化遺伝子データまたは生活文化遺伝子処理プログラムを生成した場合には、生活文化遺伝子データ所有者３として、当該生成したデータまたはプログラムを生活文化遺伝子関連特許権所有者５に提供してもよい。この場合に、当該データまたはプログラムによって得られた利益は、生活文化遺伝子データ利用事業者７1 を介して生活文化遺伝子データ最終利用者７2 に分配される。
【００８３】
なお、通信装置８2 への生活文化遺伝子データ６３および生活文化遺伝子処理プログラム６４の提供は、通信装置８1 を介して行う以外に、生活文化遺伝子データ利用事業者７1 による生活文化遺伝子管理装置１０への手続きによって、通信装置８1 から通信網２を介して生活文化遺伝子管理装置１０に直接アクセスして行ってもよい。
【００８４】
本実施形態では、図８に示す生活文化遺伝子管理装置１０の管理部５４は、生活文化遺伝子利用者７1 と生活文化遺伝子管理事業者９との間で結ばれた契約あって、記憶部５３に記憶された生活文化遺伝子データの利用許可を独占的あるいは非独占的に他の利用者（例えば生活文化遺伝子最終利用者７2 ）に与える権限を生活文化遺伝子管理事業者９が生活文化遺伝子利用者７1 に与える契約に係わる処理を管理する。
【００８５】
以下、生活文化遺伝子データ利用事業者７1 および生活文化遺伝子データ最終利用者７2 が生活文化遺伝子管理事業者９のサービスを利用するにあたって必要となる登録手続きについて説明する。
図１６は、当該処理を説明するためのフローチャートである。
ステップＳＴ５０：
生活文化遺伝子データ利用事業者７1 は、通信装置８1 の図７に示す操作部４１を操作して、自らが利用するのか、あるいは最終利用者が利用するのかを区別して登録要求を生成する。当該登録要求は、図７に示す入出力インターフェース部４０から、通信網２を介して生活文化遺伝子管理装置１０に送信される。
【００８６】
ステップＳＴ５１：
生活文化遺伝子管理装置１０は、ステップＳＴ５０で通信装置８1 から送信された登録要求に基づいて、登録を許諾するか否かを判断する。
生活文化遺伝子管理装置１０は、登録要求が生活文化遺伝子データ利用事業者７1 自らが利用することを示す場合には、生活文化遺伝子データ利用事業者７1にその資格があるか否かを判断し、資格があると判断した場合には、プロファイルや、支払い方法等を申請させる。資格がないと判断した場合には、加入申込の意志を確認して、意志ありの場合は、その手続きに入る。
また、生活文化遺伝子管理装置１０は、登録要求が生活文化遺伝子データ利用事業者７1 以外の生活文化遺伝子データ最終利用者７2 が利用することを示す場合には、生活文化遺伝子データ利用事業者７1 および生活文化遺伝子データ最終利用者７2 にその資格があるか否かを判断し、双方に資格があると判断した場合には、それぞれのプロファイルや、支払い方法等を申請させる。資格がないと判断した場合には、加入申込の意志を確認して、意志ありの場合は、その手続きに入る。
【００８７】
次に、生活文化遺伝子データ最終利用者７2 が生活文化遺伝子管理事業者９のサービスを利用するにあたって生活文化遺伝子データ利用事業者７1 に対して行う手続きについて説明する。
図１７は、当該処理を説明するためのフローチャートである。
ステップＳＴ６１：
生活文化遺伝子データ最終利用者７2 は、通信装置８2 の図７に示す操作部４１を操作して、生活文化遺伝子管理装置１０を利用のための登録の要求を生成する。当該要求は、入出力インターフェース部４０から通信網２を介して生活文化遺伝子管理装置１０に送信される。
【００８８】
ステップＳＴ６２：
ステップＳＴ６１で通信装置８2 から送信された要求は、通信装置８1 の入出力インターフェース部４０で受信され、例えば、処理部４４において、生活文化遺伝子データ最終利用者７2 に登録のために要求される資格があるか否かを判断し、資格有りと判断した場合は、プロファイルや、支払い方法等を申請させる。
そして、通信装置８1 は、資格があると判断した場合には、生活文化遺伝子管理装置１０に、生活文化遺伝子データ最終利用者７2 を登録する許可を求めると共に、生活文化遺伝子データ最終利用者７2 を自らの顧客として登録する。
生活文化遺伝子データ最終利用者７2 の管理は、生活文化遺伝子管理装置１０が行う場合と、通信装置８1 が行う場合とがある。
【００８９】
ステップＳＴ６３：
ステップＳＴ６２で登録が許可された生活文化遺伝子データ最終利用者７2 の通信装置８2 に、生活文化遺伝子管理装置１０の利用に関する承諾書データが送信され、当該承諾書データに生活文化遺伝子データ最終利用者７2 が合意した後に、生活文化遺伝子管理装置１０にアクセスするための手段として、パスワード等が通信装置８2 に送信される。
【００９０】
関係者がビジネス・フランチャイズを組む場合
生活文化遺伝子管理事業者９は、ワールド・センターを中心にして、世界各地点に設けられ、その機能をフランチャイズしてゆく。
当該フランチャイズに入ることによって、各フランチャイジーは、メリットを受ける仕組みが用意されるが、フランチャイズに入るに当っては、入会金を納入し、会の規定に従って、自分のプロファイルの提供等を約束する。
フランチャイザーは、世界でただ、１つのビジネスプラットフォーム機関とする。
そして、例えば、各地域の生活文化遺伝子管理事業者９が抱える顧客に対するポイント制等のサポートサービスシステムを提供する。
当該システムは、登録された生活文化遺伝子データ６３の利用量に応じたポイントを顧客に与えたり、生活文化遺伝子データ６３に対する顧客の優遇制度（割引等）を設けたり、生活文化遺伝子データ６３を提供することに対してポイントを与えたり、デジタル化された生活文化遺伝子データ６３のシミュレータのビューワー・ソフトの無料貸し出しを行ったりする。
【００９１】
【発明の効果】
以上説明したように、本発明によれば、生活用品の外観などの得るための知識や経験を、第三者が容易に利用できるデータ管理方法、データ管理装置およびそのシステムを提供できる。
また、本発明によれば、生活用品の外観などの得るための知識や経験を組み合わせて、新たなデザインを容易に創作することを促進できるデータ管理方法、データ管理装置およびそのシステムを提供できる。
また、本発明によれば、生活用品の外観に係わる意匠権、著作権および特許権による使用の制約を効率的に克服して、これらの利用を促進できるデータ管理方法、データ管理装置およびそのシステムを提供できる。
【図面の簡単な説明】
【図１】図１は、本発明の第１実施形態における、生活文化遺伝子データ所有者と、生活文化遺伝子関連特許権所有者と、生活文化遺伝子データ利用者と、生活文化遺伝子管理事業者との関係を説明するための図である。
【図２】図２は、本発明の第１実施形態の生活文化遺伝子管理システムの全体構成図である。
【図３】図３は、本発明の第１実施形態の生活文化遺伝子管理方法の手順を説明するための図である。
【図４】図４は、図２に示す生活文化遺伝子データ所有者が使用する通信装置の機能ブロック図である。
【図５】図５は、生活文化遺伝子データ所有者による通信装置を用いた生活文化遺伝子管理装置に対しての処理を説明するためのフローチャートである。
【図６】図６は、図２に示す生活文化遺伝子関連特許権所有者が使用する通信装置の機能ブロック図である。
【図７】図７は、図２に示す生活文化遺伝子データ利用者が使用する通信装置の機能ブロック図である。
【図８】図８は、図２に示す生活文化遺伝子管理装置の機能ブロック図である。
【図９】図９は、図８に示す記憶部に記憶されたデータおよびプログラムを説明するための図である。
【図１０】図１０は、図２に示す生活文化遺伝子管理システムの全体動作例を説明するためのフローチャートである。
【図１１】図１１は、本発明の第２実施形態の生活文化遺伝子管理システムの全体構成図である。
【図１２】図１２は、本発明の第３実施形態の生活文化遺伝子管理システムの全体構成図である。
【図１３】図１３は、本発明の第４実施形態における、生活文化遺伝子データ所有者と、生活文化遺伝子関連特許権所有者と、生活文化遺伝子利用者と、生活文化遺伝子最終利用者と、生活文化遺伝子管理事業者との関係を説明するための図である。
【図１４】図１４は、本発明の第４実施形態の生活文化遺伝子管理方法における生活文化遺伝子利用者と生活文化遺伝子最終利用者とに係わる手続きを説明するための図である。
【図１５】図１５は、本発明の第４実施形態の生活文化遺伝子管理システムの全体構成図である。
【図１６】図１６は、生活文化遺伝子データ利用事業者および生活文化遺伝子データ最終利用者が生活文化遺伝子管理事業者のサービスを利用するにあたって必要となる登録手続きを説明するためのフローチャートである。
【図１７】図１７は、生活文化遺伝子データ最終利用者が生活文化遺伝子管理事業者のサービスを利用するにあたって生活文化遺伝子データ利用事業者に対して行う手続きを説明するためのフローチャートである。
【符号の説明】
１，１０１，２０１，３０１…生活文化遺伝子管理システム、２…通信網、３…生活文化遺伝子データ所有者、４…通信装置、５…生活文化遺伝子関連特許権所有者、６…通信装置、７…生活文化遺伝子データ利用者、８…通信装置、９…生活文化遺伝子管理事業者、１０…生活文化遺伝子管理装置、２０，３０，４０…入出力インターフェース部、２１，３１，４１…操作部、２２，３２，４２…表示部、２３，３３，４３…記憶部、２４，３４，４４…処理部、５０…入出力インターフェース部、５１…操作部、５２…表示部、５３…記憶部、５４…管理部、５５…意匠要素抽出部、５６…画像処理部
【図１】
0004605620.tif 000002
【図２】
0004605620.tif 000003
【図３】
0004605620.tif 000004
【図４】
0004605620.tif 000005
【図５】
0004605620.tif 000006
【図６】
0004605620.tif 000007
【図７】
0004605620.tif 000008
【図８】
0004605620.tif 000009
【図９】
0004605620.tif 000010
【図１０】
0004605620.tif 000011
【図１１】
0004605620.tif 000012
【図１２】
0004605620.tif 000013
【図１３】
0004605620.tif 000014
【図１４】
0004605620.tif 000015
【図１５】
0004605620.tif 000016
【図１６】
0004605620.tif 000017
【図１７】
0004605620.tif 000018